(57)【要約】【課題】  その目的は、ＨＤＤ装置と着脱可能な記録媒体とを備えた構成の記録再生装置において、ユーザが簡単に録画することのできるデータ記録再生装置を提供すること。【解決手段】  リモコンなどの操作部に、録画キーを１つ設け、この録画キーをＨＤＤ専用の録画キーとする。したがって、ＣＰＵ１０は、キー入力がされたことを検知すると（ステップＳ２においてＹＥＳ）、入力されたキーが、まず、モード選択可能キーか否かを判断する（ステップＳ４）。モード選択可能キーでないと判断した場合（ステップＳ４においてＮＯ）、入力されたキーが録画キー２５か否かを判断する（ステップＳ６）。入力されたキーが、録画キー２５であると検知した場合（ステップＳ６においてＹＥＳ）、ＣＰＵ１０は、ＨＤＤ５に録画を開始する（ステップＳ８）。【選択図】        図３
2006294166.tif 000002
【特許請求の範囲】
【請求項１】
放送信号に基づくデータを受信するための受信手段と、
予め内蔵された第１の記録媒体と、
着脱可能な第２の記録媒体と、
ユーザからの指示の入力を受け付けるための操作手段と、
前記操作手段により、録画指示が入力された場合に、前記第１の記録媒体に前記受信手段により受信された前記データを書き込むための第１の書き込み手段と、
前記操作手段により、データ転送の指示が入力された場合に、前記第１の記録媒体に記録された記録済データを読み出して、前記第２の記録媒体に書き込むための転送手段とを備える、データ記録再生装置。
【請求項２】
放送信号に基づくデータを受信するための受信手段と、
予め内蔵された第１の記録媒体と、
着脱可能な第２の記録媒体と、
ユーザからの指示の入力を受け付けるための操作手段と、
前記操作手段により、録画指示が入力された場合に、前記第１の記録媒体に前記受信手段により受信された前記データを書き込むための第１の書き込み手段とを備える、データ記録再生装置。
【請求項３】
前記操作手段により、データ転送の指示が入力された場合に、前記第１の記録媒体に記録された記録済データを読み出して、前記第２の記録媒体に書き込むための転送手段をさらに備える、請求項２に記載のデータ記録再生装置。
【請求項４】
前記第１の記録媒体は、ハードディスク装置であり、前記第２の記録媒体は、光学ディスクである、請求項２に記載のデータ記録再生装置。
【請求項５】
前記第１の記録媒体は、ハードディスク装置であり、前記第２の記録媒体は、磁気テープである、請求項２に記載のデータ記録再生装置。
【発明の詳細な説明】
【技術分野】
【０００１】
本発明は、データ記録再生装置に関し、特に、予め内蔵されたハードディスク装置と着脱可能な記録媒体とを備える複合型データ記録再生装置に関する。
【背景技術】
【０００２】
近年、大容量のＨＤＤ（Hard Disk Drive）装置とたとえばＤＶＤ（Digital Versatile Disk）駆動装置とを備えた複合型のデータ記録再生装置が提案されている。このようなデータ記録再生装置は、あらゆるデータを大容量のＨＤＤ装置に溜め込んでおくことができ、使い勝手が良い。
【０００３】
このように装置自体に内蔵されているＨＤＤ装置を利用したデータ記録方法が開示されている。
【０００４】
たとえば特許文献１には、ハードディスクドライブが内蔵されている映像記録再生装置（テレビジョン受像機）が開示されており、ハードディスクドライブに所望の番組を開始から終了まで記録しておくことで、番組の途中でキー操作しても、その番組の開始から終了までを録画することができる。
【０００５】
また、特許文献２には、電源オフの状態で、録画キーを長押しするなどの特殊操作がなされた場合、入力された映像データがハードディスクに自動的に記録することのできる記録再生装置が開示されている。
【特許文献１】特開２００４−３１２７５９号公報
【特許文献２】特開２００４−２８１００６号公報
【発明の開示】
【発明が解決しようとする課題】
【０００６】
しかしながら、上記特許文献１に開示されている映像記録再生装置は、ハードディスクドライブを内蔵しているのみで、着脱可能な別の記録媒体を備えているものではない。また、特許文献２に開示された記録再生装置は、ハードディスクの初期化の際に特殊な操作を受け付けるものであり、通常の録画についての記載はされていない。
【０００７】
したがって、ＨＤＤ装置と着脱可能な記録媒体とを備えた構成の記録再生装置において、ユーザが簡単に通常の録画を行なうためには、上記技術では対応できない。
【０００８】
本発明は、上記のような問題を解決するためになされたものであって、その目的は、ＨＤＤ装置と着脱可能な記録媒体とを備えた構成の記録再生装置において、ユーザが簡単に録画することのできるデータ記録再生装置を提供することである。
【課題を解決するための手段】
【０００９】
この発明のある局面に従うデータ記録再生装置は、外部からデータを受信するための受信手段と、予め内蔵された第１の記録媒体と、着脱可能な第２の記録媒体と、ユーザからの指示の入力を受け付けるための操作手段と、操作手段により、録画指示が入力された場合に、第１の記録媒体に受信手段により受信されたデータを書き込むための第１の書き込み手段と、操作手段により、データ転送の指示が入力された場合に、第１の記録媒体に記録された記録済データを読み出して、第２の記録媒体に書き込むための転送手段とを備える。
【００１０】
この発明の他の局面に従うデータ記録再生装置は、外部からデータを受信するための受信手段と、予め内蔵された第１の記録媒体と、着脱可能な第２の記録媒体と、ユーザからの指示の入力を受け付けるための操作手段と、操作手段により、録画指示が入力された場合に、第１の記録媒体に受信手段により受信されたデータを書き込むための第１の書き込み手段とを備える。
【００１１】
好ましくは、操作手段により、データ転送の指示が入力された場合に、第１の記録媒体に記録された記録済データを読み出して、第２の記録媒体に書き込むための転送手段をさらに備える。
【００１２】
好ましくは、第１の記録媒体は、ハードディスク装置であり、第２の記録媒体は、光学ディスクである。
【００１３】
好ましくは、第１の記録媒体は、ハードディスク装置であり、第２の記録媒体は、磁気テープである。
【発明の効果】
【００１４】
本発明によると、予め内蔵された第１の記録媒体と着脱可能な第２の記録媒体とを備えていても、ユーザから録画指示が入力されると、第１の記録媒体にのみ録画が行なわれる。したがって、第２の記録媒体が未装着であっても、確実に録画をすることができる。また、どの記録媒体に録画すべきかというユーザの迷いを解消することができる。
【発明を実施するための最良の形態】
【００１５】
本発明の実施の形態について図面を参照しながら詳細に説明する。なお、図中同一または相当部分には同一符号を付してその説明は繰返さない。
【００１６】
［実施の形態１］
図１には、この発明の実施の形態１に係るデータ記録再生装置の構成が示される。図１を参照してデータ記録再生装置はＴＶ（Television）放送を受信するＴＶアンテナ１、ＴＶアンテナ１により受信された放送信号から所望チャンネルに対応の放送信号を抽出するためのチューニング動作を行なうチューナ２、チューナ２により抽出された放送信号について所定の符号化方式に従いデジタル信号に変換するデジタル変換部３、デジタル変換部３により変換されて出力されたデジタル信号をコード化してデジタルデータとして出力するエンコーダ４、エンコーダ４から出力されたデジタルデータが記録され、供給電力が絶たれても記録内容を保持できる図示のないＨＤを駆動制御するＨＤＤ（Hard disk drive）５、ＨＤＤ５によるＨＤへのデジタルデータの書込および読出とＤＶＤ１６へのデジタルデータの書込および読出とを制御する書込／読出制御部６、ＨＤＤ５によりＨＤから読出されたデジタルデータまたはＤＶＤ１６から読出されたデジタルデータを入力してデコードし、デジタル信号を出力するデコーダ７、デコーダ７から出力されたデジタル信号を入力してアナログ信号に変換して出力するアナログ変換部８、およびアナログ変換部８から出力されたアナログ信号を入力して映像、音声などにして出力するためのＴＶ受像機などの出力部９を備える。
【００１７】
さらに、図１のデータ記録再生装置は、チューナ２のチューニング動作、エンコーダ４のエンコード動作、デコーダ７のデコード動作および書込／読出制御部６の動作を制御するためのＣＰＵ（Central Processing Unit）１０、ＣＰＵ１０がこれらを制御するための情報（プログラム、データなど）を含む各種の情報を記憶するためのＲＡＭ（Random Access Memory）やＲＯＭ（Read Only Memory）などからなる記憶部１１および１２、外部に設けられたリモコン（リモートコントローラの略）１４からの赤外線信号による指令・指示を受信し、データに変換して、ＣＰＵ１０に与える入力部１３、ＯＳＤ（On Screen Display）回路１５、着脱可能な記録媒体であるＤＶＤ１６、計時動作するタイマ１７およびＥＰＧ（Electric Program Guide）抽出部１８を備える。なお、ＥＰＧ抽出部１８を備えない構成であってもよい。
【００１８】
ここでは、ＤＶＤ１６は、ＤＶＤ−Ｒ、ＤＶＤ−ＲＡＭ（ＤＶＤ−ＲＷ（Digital Versatile Disc ReWritable）ともいう）などであってよい。
【００１９】
ＯＳＤ回路１５はＣＰＵ１０から与えられるデジタル情報に基づく描画データを作成してアナログ変換部８に出力する。アナログ変換部８は描画データを入力すると、該描画データのみをアナログ変換して、または該描画データとＨＤＤ５またはＤＶＤ１６から読出されてデコーダ７を介して与えられるデータとをアナログ変換して、出力部９に出力するので、出力部９には与えられるデータに基づく画像が表示されることになる。
【００２０】
本実施の形態において、記憶部１１には、供給電力が絶たれても記録内容を保持できるメモリ、たとえばフラッシュメモリを含んでいるものとする。
【００２１】
入力部１３はリモコン１４からの指令を入力しない場合には、外部からの指令・指示を入力するためのユーザにより操作される各種スイッチ、ボタンなどから構成されてもよい。
【００２２】
ＥＰＧ抽出部１８はアンテナ１、チューナ２およびデジタル変換部３を経由して入力したデジタル情報から、放送信号とともに送信されている番組データのＥＰＧ情報を抽出して、抽出したＥＰＧ情報をＣＰＵ１０に与える。
【００２３】
なお、ＨＤＤ５によるＨＤへの情報の書込（記録）／読出（再生）、ならびにＤＶＤ１６への情報の書込（記録）／読出（再生）は、ＣＰＵ１０の制御の下に読出／書込制御部６を介して行なわれる。ここでは、ＨＤＤ５とＤＶＤ１６について読出／書込制御部６を共用して設けているが、書込／読出制御部６をそれぞれ個別に設けるようにしてもよい。
【００２４】
以下の説明において、録画やダビングの対象とされるデータを映像データであるものとするが、映像データに限られず、音声データであってもよいし、両方を含んでいてもよい。本実施の形態において、「録画」とは、アンテナ１を介して受信される放送信号に基づく映像データを記録媒体に書き込むことをいうものとする。また、「ダビング」とは、ある記録媒体（ＨＤＤ５）に記録されている記録済データを別の記録媒体（ＤＶＤ１６）に転送して再記録することをいうものとする。
【００２５】
また、映像データが格納されるのはＤＶＤ１６と図示しないＨＤとであるが、以下の説明において、映像データはＤＶＤ１６とＨＤＤ５とに格納されるものとして説明する。
【００２６】
図２は、本発明の実施の形態１のデータ記録再生装置１００に用いられるリモコン１４の構成例を示す図である。図２を参照して、リモコン１４には、データ記録再生装置１００への電源の投入の状態を変更するための電源キー２１、ＤＶＤ１６に対する動作を指示するためのＤＶＤキー２２、ＨＤＤ５に対する動作を指示するためのＨＤＤキー２３、「１」〜「０」、および「＋１０」の数字を入力するための数字キー２４、アンテナ１を介して受信した映像データの、本装置すなわちＨＤＤ５への記録（録画）を開始するための録画キー２５、ＤＶＤ１６またはＨＤＤ５に記録された映像データの再生指示を与えるための再生キー２６、当該再生を早送りさせるための早送りキー２８、当該再生を巻戻すための巻戻しキー２９、再生および録画を停止させるための停止キー２７、各種メニューを表示するためのメニューキー４１、決定ボタン４２、カーソルキー４３〜４６が含まれる。カーソルキー４３〜４６は、出力部９に表示されるカーソルなどのポインタを上下左右のそれぞれの方向に移動させるための複数種類のキーである。
【００２７】
以下、ＤＶＤキー２２が操作された場合を「ＤＶＤモード」、ＨＤＤキー２３が操作された場合を「ＨＤＤモード」という。ユーザによってＤＶＤキー２２が操作されると、ＣＰＵ１０は、たとえば記憶部１１にＤＶＤモードが選択されたことを記憶する。そして、次に、ＨＤＤキー２３が操作されると、ＨＤＤモードが選択されたことを記憶する。このようにして、ＣＰＵ１０は、選択されているモードに従い、その後入力されるキーによる動作を行なう。なお、このようなモードにより書込／読出制御部６による動作対象が異なるようなキーを総称して、以下「モード選択可能キー」と呼ぶ。
【００２８】
ここで、一般的な複合機がそうであるように、モード選択可能キーに、録画キー２５が含まれる場合について説明する。
【００２９】
一般的な複合機においては、図２に示したリモコン１４のような構成の場合、録画キー２５が操作されると、選択中のモードに従った記録媒体、すなわちＨＤＤ５およびＤＶＤ１６のいずれかに対して録画が開始される。このように、一般的な複合機では、ユーザは、ＨＤＤ５およびＤＶＤ１６のいずれかを選択して録画をすることができる。したがって、たとえば映画番組を１つのＤＶＤ１６に保存しておきたい場合などは、ユーザは、その番組の映像データをＤＶＤ１６に直接録画する。
【００３０】
しかし、このように、録画する際に記録媒体を選択できるとすると、ユーザは、どちらの記録媒体を選択すべきか迷いが生じる場合がある。また、ＤＶＤ１６は着脱可能であるので、未装着のままＤＶＤ１６への録画を選択してしまうおそれがある。そうすると、録画キー２５の操作は無効になってしまい、録画ができない場合がある。あるいは、慌ててＤＶＤ１６を装着している間に、番組が始まってしまい、初めのシーンを録画し損ねてしまう場合がある。
【００３１】
そこで、本発明の実施の形態１では、録画キー２５はモード選択可能キーに含まれない構成とし、録画キー２５は、データ記録再生装置１００自体への録画キーとする。すなわち、録画キー２５が選択されると、モードに関係なく、ＨＤＤ５への録画が実行される。これにより、上述のような記録媒体の選択の迷いや、録画キー２５の無効化といった不都合を解消することができる。
【００３２】
そして、ユーザは、ＤＶＤ１６への記録を希望する場合には、ＨＤＤ５に記録（録画）されている記録済データをＤＶＤ１６にダビングすることで、対応することができる。図１において、エンコーダ４からＤＶＤ１６に対して点線で示される矢印は、ＤＶＤ１６には、アンテナ１を介して受信される映像データは録画されず、ダビングによってのみ記録が可能であることを示す。なお、このようなダビングの操作は、たとえばメニューキー４１が選択されることで表示されるメニューに含まれるものとする。
【００３３】
以上より、本実施の形態においては、モード選択可能キーには、再生キー２６、早送りキー２８、巻戻しキー２９および停止キー２７が含まれる。これらのキーが操作されると、ＣＰＵ１０は、現状のモードの記録媒体への動作を実行する。たとえば、ＤＶＤモード中に、再生キー２６が選択されると、ＣＰＵ１０は、書込／読出制御部６により、ＤＶＤ１６に記録されている映像データを読み出して再生処理を行なう。なお、停止キー２７は、録画中に操作された場合には、ＨＤＤ５への録画を停止するものとする。
【００３４】
図３は、本発明の実施の形態１におけるデータ記録再生装置１００のＣＰＵ１０が実行する処理の流れを示すフローチャートである。この処理は、たとえば、ユーザが電源キー２１を操作して、電源が投入された場合にＣＰＵ１０により開始される処理である。なお、図３のフローチャートに示される処理は、たとえば記憶部１２に予めプログラムとして格納されており、ＣＰＵ１０がこのプログラムを読み出すことで実現される。
【００３５】
図３を参照して、はじめに、ＣＰＵ１０は、キー入力の有無を判断する（ステップＳ２）。キー入力があるまで待機する（ステップＳ２においてＮＯ）。
【００３６】
ＣＰＵ１０は、キー入力がされたことを検知すると（ステップＳ２においてＹＥＳ）、次に、入力されたキーが、モード選択可能キーか否かを判断する（ステップＳ４）。モード選択可能キーでないと判断した場合（ステップＳ４においてＮＯ）、入力されたキーが録画キー２５か否かを判断する（ステップＳ６）。
【００３７】
ステップＳ６において、入力されたキーが、録画キー２５であると検知した場合（ステップＳ６においてＹＥＳ）、ＣＰＵ１０は、ＨＤＤ５に録画を開始する（ステップＳ８）。すなわち、ＣＰＵ１０は、アンテナ１を介してチューナ２から入力される映像データを、書込／読出制御部６を介してＨＤＤ５に書き込みを行なう。
【００３８】
続いて、ＣＰＵ１０は、停止指示の有無を検知する（ステップＳ１０）。停止指示は、たとえば、ユーザが停止キー２７を操作した場合に検知される。あるいは、録画停止時刻を予め設定していた場合、タイマ１７から得られる時刻が録画停止時刻か否かを検知し、録画停止時刻になったときに、停止指示があったと判断してもよい。そして、停止指示が検出されると（ステップＳ１０においてＹＥＳ）、ＣＰＵ１０は録画を終了して（ステップＳ１２）、ステップＳ２に処理を戻す。
【００３９】
一方、ステップ６において、入力されたキーが、録画キー２５でないと判断した場合（ステップＳ６においてＮＯ）、ＣＰＵ１０は、入力キーに応じた処理を行なう（ステップＳ１４）。そして、処理はステップＳ２に戻される。
【００４０】
上記ステップＳ４において、モード選択可能キーであると判断された場合（ステップ４においてＹＥＳ）、ＣＰＵ１０は、現状のモードを判別する（ステップＳ１６）。現状のモードは、たとえば記憶部１１に記憶されているので、これを読み出すことで判別される。
【００４１】
そして、現状のモードがＤＶＤモードか否かを判断する（ステップＳ１８）。現状のモードがＤＶＤモードであると判断した場合（ステップＳ１８においてＹＥＳ）、ステップＳ２０に進む。一方、現状のモードがＤＶＤモードでない、すなわちＨＤＤモードであると判断した場合（ステップＳ１８においてＮＯ）、上記ステップＳ１４へ進み、入力キーに応じた処理を行なう。
【００４２】
ステップＳ２０において、ＣＰＵ１０は、ＤＶＤ１６が装着されているか否かを判断する（ステップＳ２０）。ＤＶＤ１６が装着されていれば（ステップＳ２０においてＹＥＳ）、上記ステップＳ１４へ進み、入力キーに応じた処理を行なう。一方、ＤＶＤ１６が装着していないと判断した場合（ステップＳ２０においてＮＯ）、入力されたモード選択可能キーは無効となる（ステップＳ２２）。この場合、無効とされたことをユーザに報知する画像がＯＳＤ回路１５において生成され、出力される。そして処理は、ステップＳ２に戻される。
【００４３】
このように、録画キー２５がモード選択可能キーには含まれないため、ステップＳ１６のようなモード判別を行なうことなく、ＨＤＤ５への録画が実行される。ＨＤＤ５は大容量であるので、録画キー２５は常に有効となる。したがって、録画の際に、ユーザがＤＶＤ１６の装着の有無や、書き込み可能か否かなどを確認する必要がなくなる。これにより、録画のし損ねを防止することができる。
【００４４】
なお、ＨＤＤ５に空き容量が不足していれば、通常の機器と同様に、残量が不足している旨の表示などがなされる。
【００４５】
また、録画キー２５が操作された場合だけでなく、録画が予約されていた場合にも、適用することができる。この場合、ＣＰＵ１０は、タイマ１７から得られる時刻と録画予約の時刻とを比較し、録画予約時刻になったとき（あるいはその数分〜数秒前）に、ステップＳ８〜Ｓ１０の処理を行なう。このようにすることで、録画予約していた場合にも、確実に、ＨＤＤ５に録画処理を行なうことが可能となる。
【００４６】
（変形例）
次に、実施の形態１の変形例について説明する。
【００４７】
実施の形態１の変形例におけるデータ記録再生装置の構成およびそれらの機能は、実施の形態１におけるデータ記録再生装置１００と同様である。したがって、ここでも図１に示した符号を用い、ここでの説明は繰り返さない。
【００４８】
実施の形態１の変形例では、実施の形態１とリモコンの構成が異なる。
【００４９】
図４は、本発明の実施の形態１の変形例のデータ記録再生装置１００に用いられるリモコン１４Ａの構成例を示す図である。なお、図２に示したキーと同じ機能のキーは、図２と同じ符号を付し、ここでの説明は繰り返さない。
【００５０】
図４を参照して、リモコン１４Ａには、実施の形態１と同様に、電源キー２１、数字キー２４、録画キー２５、メニューキー４１、決定ボタン４２、カーソルキー４３〜４６が含まれる。さらに、実施の形態１の変形例では、リモコン１４Ａには、ＨＤＤ専用キーとＤＶＤ専用キーとが含まれる。ＨＤＤ専用キーには、ＨＤＤ５に記憶された映像データの再生指示を与えるためのＨＤ再生キー１２６、当該ＨＤＤ５の再生を早送りさせるためのＨＤ早送りキー１２８、当該ＨＤＤ５の再生を巻戻すためのＨＤ巻戻しキー１２９、ＨＤＤ５の再生および録画を停止させるためのＨＤ停止キー１２７が含まれる。また、ＤＶＤ専用キーには、ＤＶＤ１６に記憶された映像データの再生指示を与えるためのＤＶＤ再生キー２２６、当該ＤＶＤ１６の再生を早送りさせるためのＤＶＤ早送りキー２２８、当該ＤＶＤ１６の再生を巻戻すためのＤＶＤ巻戻しキー２２９、ＤＶＤ１６の再生を停止させるためのＤＶＤ停止キー２２７が含まれる。なお、録画停止専用のキーを別途設けてもよい。
【００５１】
次に、本発明の実施の形態１の変形例におけるデータ記録再生装置１００のＣＰＵ１０が実行する処理について図５のフローチャートを用いて説明する。なお、図５のフローチャートに示される処理は、たとえば記憶部１２に予めプログラムとして格納されており、ＣＰＵ１０がこのプログラムを読み出すことで実現される。図３に示されるフローチャートと同様の処理については同じステップ番号を付し、ここでの説明は繰り返さない。
【００５２】
図５を参照して、はじめに、ＣＰＵ１０は、キー入力の有無を判断する（ステップＳ２）。キー入力があるまで待機する（ステップＳ２においてＮＯ）。
【００５３】
ＣＰＵ１０は、キー入力がされたことを検知すると（ステップＳ２においてＹＥＳ）、入力されたキーが、録画キー２５か否かを判断する（ステップＳ６）。
【００５４】
ステップＳ６において、入力されたキーが、録画キー２５であると検知した場合（ステップＳ６においてＹＥＳ）、ＣＰＵ１０は、上述のステップＳ８〜Ｓ１２の処理を行なう。そして、これらの処理が終わると、ステップＳ２に処理を戻す。
【００５５】
一方、ステップ６において、入力されたキーが、録画キー２５でないと判断した場合（ステップＳ６においてＮＯ）、ＣＰＵ１０は、入力キーに応じた処理を行なう（ステップＳ１４）。そして、処理はステップＳ２に戻される。
【００５６】
このように、実施の形態１の変形例では、実施の形態１におけるリモコン１４のようにＤＶＤキー２２やＨＤＤキー２３を備えず、記録媒体に応じた各種キーが備えられているので、ユーザは、より、記録先の記録媒体を迷いことなく録画を行なうことができる。
【００５７】
上述のように、本発明におけるデータ記録再生装置１００は、複合の録画機であるが、録画キー２５自身は、その録画機への録画開始キーとされる。すなわち、録画キー２５は、録画可能か否かといった可否条件のない、ＨＤＤ５への録画開始キーとされる。これにより、ユーザは、ＨＤＤ５のみを備えた単体機と同様に、何も考えずに録画したいときに、録画キー２５を操作すれば録画を開始することができる。このようにすることで、複合機であっても、録画操作を単純かつ確実にすることが可能となる。
【００５８】
以上、本発明の実施の形態１およびその変形例において、ＨＤＤ５を内蔵しＤＶＤ１６が着脱可能なデータ記録再生装置１００を用いて説明したが、このような構成に限らない。たとえば、ＤＶＤ１６に替えて、他の光学媒体を着脱可能な構成としてもよいし、磁気テープなどのテープ媒体を着脱可能な構成としてもよい。テープ媒体としては、アナログデータを記録するものであってもよいし、デジタルデータを記録するものであってもよい。また、ＨＤＤ５を内蔵し、複数の着脱可能な記録媒体を備えることとしてもよい。
【００５９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６０】
【図１】本発明の実施の形態１に係るデータ記録再生装置の構成を示す図である。
【図２】本発明の実施の形態１のデータ記録再生装置に用いられるリモコンの構成例を示す図である。
【図３】本発明の実施の形態１におけるデータ記録再生装置のＣＰＵが実行する処理の流れを示すフローチャートである。
【図４】本発明の実施の形態１の変形例のデータ記録再生装置に用いられるリモコンの構成例を示す図である。
【図５】本発明の実施の形態１の変形例におけるデータ記録再生装置のＣＰＵが実行する処理の流れを示すフローチャートである。
【符号の説明】
【００６１】
１  アンテナ、２  チューナ、３  デジタル変換部、４  エンコーダ、６  書込／読出制御部、７  デコーダ、８  アナログ変換部、９  出力部、１１，１２  記憶部、１３  入力部、１４，１４Ａ  リモコン、１５  ＯＳＤ回路、１７  タイマ、１００  データ記録再生装置。
【図１】
2006294166.tif 000003
【図２】
2006294166.tif 000004
【図３】
2006294166.tif 000005
【図４】
2006294166.tif 000006
【図５】
2006294166.tif 000007